(57)【特許請求の範囲】
【請求項１】
複数の空調機（２０）を接続する汎用ネットワーク（１０）に接続可能である汎用ネットワーク接続手段（４７）と、
互いに対応付けられる前記複数の空調機の設置位置を示す第１設置位置情報、機種を示す第１機種情報、および所属先の冷媒系統を示す第１冷媒系統情報を含む設計情報を取得する設計情報取得手段（４７，７９）と、
前記設置位置を検出する位置検出手段と、
複数の空調機それぞれとの前記汎用ネットワークを介した通信を確立するために、前記複数の空調機それぞれに対して前記空調機を特定するための空調機特定情報を付与する空調機特定情報付与手段（７４ｄ）と、前記空調機特定情報と前記位置検出手段によって検出される前記設置位置を示す第２設置位置情報とを対応付ける第１情報対応付け手段（７４ｅ）と、を有する通信確立手段（７４ｄ，７４ｅ）と、
前記空調機特定情報を用いて前記複数の空調機を動作させることにより所属先の前記冷媒系統を示す第２冷媒系統情報を取得する第２冷媒系統情報取得手段（７４ｅ）と、
前記空調機特定情報を用いて前記複数の空調機それぞれから前記機種を示す第２機種情報を取得する第２機種情報取得手段（７４ｅ）と、
前記第２設置位置情報、前記第２機種情報、および前記第２冷媒系統情報を互いに対応付ける第２情報対応付け手段（７４ｅ）と、
前記第２情報対応付け手段により生成された前記第２設置位置情報、前記第２機種情報、および前記第２冷媒系統情報の対応付け関係が、前記設計情報取得手段により取得された前記第１設置位置情報、前記第１機種情報、および前記第１冷媒系統情報の対応付け関係と一致するか否かを判定する対応付け関係判定手段（７４ｅ）と、
を備え、
前記位置検出手段は、前記空調機が有する、情報発信指令信号を発信可能である情報発信指令信号発信手段（１８）、または、前記空調機が有する撮像手段である、
空調機設置工事支援装置（７）。
【請求項２】
前記対応付け関係判定手段において、前記第２情報対応付け手段により生成された前記第２設置位置情報、前記第２機種情報、および前記第２冷媒系統情報の対応付け関係が、前記設計情報手段により取得された前記第１設置位置情報、前記第１機種情報、および前記第１冷媒系統情報の対応付け関係と一致しない場合に警告情報を出力する警告情報出力手段（７４ｅ）をさらに備える、
請求項１に記載の空調機設置工事支援装置。
【請求項３】
前記対応付け関係判定手段において、前記第２情報対応付け手段により生成された前記第２設置位置情報、前記第２機種情報、および前記第２冷媒系統情報の対応付け関係が、前記設計情報手段により取得された前記第１設置位置情報、前記第１機種情報、および前記第１冷媒系統情報の対応付け関係と一致した場合に顧客情報および工事者情報の少なくとも一方の情報の入力を要求する情報入力要求手段（７４ｅ）をさらに備える、
請求項１または２に記載の空調機設置工事支援装置。
【請求項４】
前記顧客情報および前記工事者情報の少なくとも一方の情報の入力後、前記設置位置の情報、前記機種の情報、前記冷媒系統の情報、ならびに前記顧客情報および前記工事者情報の少なくとも一方の情報を所定の情報処理装置に送信する情報送信手段（４７）をさらに備える、
請求項３に記載の空調機設置工事支援装置。
【請求項５】
前記位置検出手段は、前記情報発信指令信号発信手段（１８）であり、
前記情報発信指令信号を受信すると前記空調機特定情報を発信する第１空調機特定情報発信手段（２６）をさらに備え、
前記第１情報対応付け手段は、前記第２設置位置情報と、前記第１空調機特定情報発信手段により発信された前記空調機特定情報とを対応付ける、
請求項１から４のいずれかに記載の空調機設置工事支援装置。
【請求項６】
前記位置検出手段は、前記撮像手段であり、
前記撮像手段において特定の像が撮影されると前記空調機特定情報を発信する第２空調機特定情報発信手段をさらに備え、
前記第１情報対応付け手段は、前記第２設置位置情報と、前記第２空調機特定情報発信手段により発信された前記空調機特定情報とを対応付ける、
請求項１から４のいずれかに記載の空調機設置工事支援装置。
【請求項７】
前記位置検出手段は、前記撮像手段であり、撮影される像の情報を利用して前記設置位置を検出し、
前記撮像手段において前記像が撮影されると前記空調機特定情報と前記像の情報とを併せて発信する空調機特定情報等発信手段をさらに備え、
前記第１情報対応付け手段は、前記第２設置位置情報と、前記空調機特定情報等発信手段により発信された前記空調機特定情報とを対応付ける、
請求項１から４のいずれかに記載の空調機設置工事支援装置。
【請求項８】
前記空調機は、熱源ユニット（２１）と、前記熱源ユニットと冷媒配管（２２）を介して配管接続される複数の利用ユニット（２０）とを有し、
前記第２冷媒系統情報取得手段は、前記熱源ユニットを動作させたときに生じる前記利用ユニットでのイベントを検出することにより前記第２冷媒系統情報を取得する、
請求項１から７のいずれかに記載の空調機設置工事支援装置。
【請求項９】
請求項１に記載の空調機設置工事支援装置において実行される空調機設置工事支援プログラムであって、
前記設計情報取得手段に対して、互いに対応付けられた複数の空調機の前記第１設置位置情報、前記第１機種情報、および前記第１冷媒系統情報を含む設計情報を取得させる設計情報取得ルーチンと、
前記通信確立手段に対して、前記複数の空調機それぞれとの前記汎用ネットワークを介した通信を確立させるために、前記空調機特定情報と前記第２設置位置情報とを対応付ける通信確立ルーチンと、
前記第２冷媒系統情報取得手段に対して、前記空調機特定情報を用いて前記複数の空調機を動作させて前記第２冷媒系統情報を取得させる冷媒系統情報取得ルーチンと、
前記第２機種情報取得手段に対して、前記空調機特定情報を用いて前記複数の空調機それぞれから前記第２機種情報を取得させる機種情報取得ルーチンと、
前記第２情報対応付け手段に対して、前記第２設置位置情報、前記第２機種情報、および前記第２冷媒系統情報を互いに対応付けさせる第２情報対応付けルーチンと、
前記対応付け関係判定手段に対して、前記第２情報対応付けステップにおいて生成された前記第２設置位置情報、前記第２機種情報、および前記第２冷媒系統情報の対応付け関係が、前記設計情報取得ステップにおいて取得された前記第１設置位置情報、前記第１機種情報、および前記第１冷媒系統情報の対応付け関係と一致するか否かを判定させる対応付け関係判定ルーチンと、
を備える、空調機設置工事支援プログラム。
【発明の詳細な説明】
【技術分野】
【０００１】
本発明は、複数の空調機が汎用ネットワークにより通信接続されている空調システムにおいて、空調機の設置工事が適切に行われているかを簡便に確認することができる空調機設置工事支援装置および空調機設置工事支援プログラムに関する。
【背景技術】
【０００２】
近年、複数の空調機をイーサネット（登録商標）等の汎用ネットワークを介して集中管理機器に通信接続した空調システムが提案されている（例えば、特許文献１および２参照）。ところで、ビル等の比較的大きな建造物に上述したような空調システムを設置工事する場合、サービスエンジニア等は、空調機の設置工事完了後に、空調機にＩＰアドレス等の識別情報を付与したり、冷媒系統の情報を集中管理機器に入力したり、集中管理機器において空調機の識別情報、冷媒系統情報、および空調機の設置場所情報などを互いに対応付け処理したり、空調機が設計通りに正しく行われれているか否かを確認したりする作業が必要となる。ここで、空調機にＩＰアドレス等の識別情報を付与したり、冷媒系統の情報を中央管理機器に入力したり、集中管理機器において空調機の識別情報、冷媒系統情報、および空調機の設置場所情報などを互いに対応付け処理したりする処理については、例えば、下記の特許文献２、３、および４等に示される技術により実現することが可能である。
【特許文献１】特開２００５−４４３６９号公報
【特許文献２】特開２０００−３２０８８０号公報
【特許文献３】特開２００４−３５３９４８号公報
【特許文献４】特開２００３−２２７６４４号公報
【発明の開示】
【発明が解決しようとする課題】
【０００３】
しかし、現状、空調機が設計通りに正しく行われれているか否かを確認する作業については、サービスエンジニア等が多大な労力を払って行っている。本発明の課題は、複数の空調機が汎用ネットワークを介して集中管理機器に接続されている空調システムにおいて、サービスエンジニア等に大きな負担をかけることなく、簡便に、空調機が正しく設置されているか否かを確認することができる空調機設置工事支援装置および空調機設置工事支援プログラムを提供することにある。
【課題を解決するための手段】
【０００４】
第１発明に係る空調機設置工事支援装置は、汎用ネットワーク接続手段、設計情報取得手段、位置検出手段、通信確立手段、第２冷媒系統情報取得手段、第２機種情報取得手段、第２情報対応付け手段、および対応付け関係判定手段を備える。汎用ネットワーク接続手段は、複数の空調機を接続する汎用ネットワークに接続可能である。なお、ここにいう「汎用ネットワーク」とは、イーサネット等、空調機以外の設備機器やＯＡ機器なども接続可能である汎用的なネットワークである。位置検出手段は、設置位置を検出する手段である。設計情報取得手段は、設計情報を取得する。なお、この設計情報には、互いに対応付けられた複数の空調機の設置位置を示す第１設置位置情報、機種を示す第１機種情報、および所属先の冷媒系統を示す第１冷媒系統情報が含まれる。通信確立手段は、複数の空調機それぞれとの汎用ネットワークを介した通信を確立するために、空調機特定情報付与手段と、第１情報対応付け手段とを有する。空調機特定情報付与手段は、複数の空調機それぞれに対して空調機を特定するための空調機特定情報を付与する。第１情報対応付け手段は、空調機特定情報と位置検出手段によって検出される設置位置を示す第２設置位置情報とを対応付ける。第２冷媒系統情報取得手段は、空調機特定情報を用いて複数の空調機を動作させることにより所属先の冷媒系統を示す第２冷媒系統情報を取得する。第２機種情報取得手段は、空調機特定情報を用いて複数の空調機それぞれから機種を示す第２機種情報を取得する。第２情報対応付け手段は、第２設置位置情報、第２機種情報、および第２冷媒系統情報を互いに対応付ける。対応付け関係判定手段は、第２情報対応付け手段により生成された第２設置位置情報、第２機種情報、および第２冷媒系統情報の対応付け関係が、設計情報取得手段により取得された第１設置位置情報、第１機種情報、および第１冷媒系統情報の対応付け関係と一致するか否かを判定する。また、位置検出手段は、空調機が有する、情報発信指令信号を発信可能である情報発信指令信号発信手段、または、空調機が有する撮像手段である。
【０００５】
この空調機設置工事支援装置では、対応付け関係判定手段が、第２情報対応付け手段により生成された第２設置位置情報、第２機種情報、および第２冷媒系統情報の対応付け関係が、設計情報取得手段により取得された第１設置位置情報、第１機種情報、および第１冷媒系統情報の対応付け関係と一致するか否かを判定する。このため、サービスエンジニア等は、空調機設置工事支援装置を利用すれば、大きな負担がかかることなく、簡便に、空調機が正しく設置されているか否かを確認することができる。また、サービスエンジニア等は、この空調機設置工事支援装置を利用すれば、大きな負担がかかることなく、簡便に空調機特定情報と設置位置情報とを対応付けることができる。
【０００６】
第２発明に係る空調機設置工事支援装置は、第１発明に係る空調機設置工事支援装置であって、警告情報出力手段をさらに備える。警告情報出力手段は、対応付け関係判定手段において、第２情報対応付け手段により生成された第２設置位置情報、第２機種情報、および第２冷媒系統情報の対応付け関係が、設計情報手段により取得された第１設置位置情報、第１機種情報、および第１冷媒系統情報の対応付け関係と一致しない場合に、警告情報を出力する。
【０００７】
この空調機設置工事支援装置では、対応付け関係判定手段において、第２情報対応付け手段により生成された第２設置位置情報、第２機種情報、および第２冷媒系統情報の対応付け関係が、設計情報手段により取得された第１設置位置情報、第１機種情報、および第１冷媒系統情報の対応付け関係と一致しない場合に、警告情報出力手段が警告情報を出力する。このため、サービスエンジニア等は、空調機設置工事支援装置を利用すれば、空調機が正しく設置されていない場合にその事実を容易に知ることができる。
【０００８】
第３発明に係る空調機設置工事支援装置は、第１発明または第２発明に係る空調機設置工事支援装置であって、情報入力要求手段をさらに備える。情報入力要求手段は、対応付け関係判定手段において、第２情報対応付け手段により生成された第２設置位置情報、第２機種情報、および第２冷媒系統情報の対応付け関係が、設計情報手段により取得された第１設置位置情報、第１機種情報、および第１冷媒系統情報の対応付け関係と一致した場合に、顧客情報および工事者情報の少なくとも一方の情報の入力を要求する。
【０００９】
この空調機設置工事支援装置では、対応付け関係判定手段において、第２情報対応付け手段により生成された第２設置位置情報、第２機種情報、および第２冷媒系統情報の対応付け関係が、設計情報手段により取得された第１設置位置情報、第１機種情報、および第１冷媒系統情報の対応付け関係と一致した場合に、情報入力要求手段が顧客情報および工事者情報の少なくとも一方の情報の入力を要求する。このため、サービスエンジニア等は、空調機設置工事支援装置を利用すれば、アフターサービスや、不具合発生時の対応や情報提供などに迅速に対応することができる。
【００１０】
第４発明に係る空調機設置工事支援装置は、第３発明に係る空調機設置工事支援装置であって、情報送信手段をさらに備える。情報送信手段は、顧客情報および工事者情報の少なくとも一方の情報の入力後、設置位置の情報、機種の情報、冷媒系統の情報、ならびに顧客情報および工事者情報の少なくとも一方の情報を所定の情報処理装置に送信する。
【００１１】
この空調機設置工事支援装置では、情報送信手段が、顧客情報および工事者情報の少なくとも一方の情報の入力後、設置位置の情報、機種の情報、冷媒系統の情報、ならびに顧客情報および工事者情報の少なくとも一方の情報を所定の情報処理装置に送信する。このため、例えば、所定の情報処理装置が複数の物件に配置される空調機の集中管理装置（遠隔管理装置）などである場合、サービスエンジニア等の属する組織などは、空調機設置工事に関する情報を一括管理することができ、アフターサービスや、不具合発生時の対応や情報提供などに迅速に対応することができる。
【００１２】
第５発明に係る空調機設置工事支援装置は、第１発明から第４発明のいずれかに係る空調機設置工事支援装置であって、位置検出手段は、情報発信指令信号発信手段である。また、空調機は、第１空調機特定情報発信手段をさらに備える。第１空調機特定情報発信手段は、情報発信指令信号を受信すると空調機特定情報を発信する。そして、第１情報対応付け手段は、第２設置位置情報と、第１空調機特定情報発信手段により発信された空調機特定情報とを対応付ける。
【００１３】
この空調機設置工事支援装置では、第１情報対応付け手段が、第２設置位置情報と、第１空調機特定情報発信手段により発信された空調機特定情報とを対応付ける。このため、サービスエンジニア等は、この空調機設置工事支援装置を利用すれば、大きな負担がかかることなく、簡便に空調機特定情報と設置位置情報とを対応付けることができる。
【００１４】
第６発明に係る空調機設置工事支援装置は、第１発明から第４発明のいずれかに係る空調機設置工事支援装置であって、位置検出手段は、撮像手段である。また、第２空調機特定情報発信手段をさらに備える。第２空調機特定情報発信手段は、撮像手段において特定の像が撮影されると空調機特定情報を発信する。そして、第１情報対応付け手段は、第２設置位置情報と、第２空調機特定情報発信手段により発信された空調機特定情報とを対応付ける。
【００１５】
この空調機設置工事支援装置では、第１情報対応付け手段が、第２設置位置情報と、第２空調機特定情報発信手段により発信された空調機特定情報とを対応付ける。このため、サービスエンジニア等は、この空調機設置工事支援装置を利用すれば、大きな負担がかかることなく、簡便に空調機特定情報と第２設置位置情報とを対応付けることができる。
【００１６】
第７発明に係る空調機設置工事支援装置は、第１発明から第４発明のいずれかに係る空調機設置工事支援装置であって、位置検出手段は、撮像手段であり、撮影される像の情報を利用して設置位置を検出する。また、空調機特定情報等発信手段をさらに備える。空調機特定情報等発信手段は、撮像手段において像が撮影されると空調機特定情報と像の情報とを併せて発信する。そして、第１情報対応付け手段は、第２設置位置情報と、空調機特定情報等発信手段により発信された空調機特定情報とを対応付ける。
【００１７】
この空調機設置工事支援装置では、第１情報対応付け手段が、第２設置位置情報と、空調機特定情報等発信手段により発信された空調機特定情報とを対応付ける。このため、サービスエンジニア等は、この空調機設置工事支援装置を利用すれば、大きな負担がかかることなく、簡便に空調機特定情報と第２設置位置情報とを対応付けることができる。
【００１８】
第８発明に係る空調機設置工事支援装置は、第１発明から第７発明のいずれかに係る空調機設置工事支援装置であって、空調機は、熱源ユニットおよび複数の利用ユニットを有する。利用ユニットは、熱源ユニットと冷媒配管を介して配管接続される。そして、第２冷媒系統情報取得手段は、熱源ユニットを動作させたときに生じる利用ユニットでのイベントを検出することにより第２冷媒系統情報を取得する。なお、ここにいう「イベント」とは、使用ユニット内部に配置される熱交換器の温度変化などである。
【００１９】
この空調機設置工事支援装置では、第２冷媒系統情報取得手段が、熱源ユニットを動作させたときに生じる利用ユニットでのイベントを検出することにより第２冷媒系統情報を取得する。このため、サービスエンジニア等は、この空調機設置工事支援装置を利用すれば、簡便に冷媒系統の設定を行うことができる。
【００２０】
第９発明に係る空調機設置工事支援プログラムは、第１発明に係る空調機設置工事支援装置において実行される空調機設置工事支援プログラムであって、設計情報取得ルーチン、通信確立ルーチン、冷媒系統情報取得ルーチン、機種情報取得ルーチン、第１情報対応付けルーチン、および対応付け関係判定ルーチンを備える。設計情報取得ルーチンでは、設計情報取得手段に対して、互いに対応付けられた複数の空調機の第１設置位置情報、第１機種情報、および第１冷媒系統情報を含む設計情報を取得させる。通信確立ルーチンでは、通信確立手段に対して、複数の空調機それぞれとの汎用ネットワークを介した通信を確立させるために、空調機特定情報と第２設置位置情報とを対応付ける。冷媒系統情報取得ルーチンでは、第２冷媒系統情報取得手段に対して、空調機特定情報を用いて複数の空調機を動作させて第２冷媒系統情報を取得させる。機種情報取得ルーチンでは、第２機種情報取得手段に対して、空調機特定情報を用いて複数の空調機それぞれから第２機種情報を取得させる。第２情報対応付けルーチンでは、第２情報対応付け手段に対して、第２設置位置情報、第２機種情報、および第２冷媒系統情報を互いに対応付けさせる。対応付け関係判定ルーチンでは、対応付け関係判定手段に対して、第２情報対応付けステップにおいて生成された第２設置位置情報、第２機種情報、および第２冷媒系統情報の対応付け関係が、設計情報取得ステップにおいて取得された第１設置位置情報、第１機種情報、および第１冷媒系統情報の対応付け関係と一致するか否かを判定させる。
【００２１】
この空調機設置工事支援プログラムが実行されれば、サービスエンジニア等は、大きな負担がかかることなく、簡便に、空調機が正しく設置されているか否かを確認することができる。
【発明の効果】
【００２２】
第１発明に係る空調機設置工事支援装置を利用すれば、サービスエンジニア等は、大きな負担がかかることなく、簡便に、空調機が正しく設置されているか否かを確認することができる。
【００２３】
第２発明に係る空調機設置工事支援装置を利用すれば、サービスエンジニア等は、空調機が正しく設置されていない場合にその事実を容易に知ることができる。
【００２４】
第３発明に係る空調機設置工事支援装置を利用すれば、サービスエンジニア等は、アフターサービスや、不具合発生時の対応や情報提供などに迅速に対応することができる。
【００２５】
第４発明に係る空調機設置工事支援装置を利用すれば、サービスエンジニア等の属する組織などは、空調機設置工事に関する情報を一括管理することができ、アフターサービスや、不具合発生時の対応や情報提供などに迅速に対応することができる。
【００２６】
第５発明、第６発明、及び第７発明に係る空調機設置工事支援装置を利用すれば、サービスエンジニア等は、大きな負担がかかることなく、簡便に空調機特定情報と第２設置位置情報とを対応付けることができる。
【００２７】
第８発明に係る空調機設置工事支援装置を利用すれば、サービスエンジニア等は、簡便に冷媒系統の設定を行うことができる。
【００２８】
第９発明に係る空調機設置工事支援プログラムが実行されれば、サービスエンジニア等は、大きな負担がかかることなく、簡便に、空調機が正しく設置されているか否かを確認することができる。
【発明を実施するための最良の形態】
【００２９】
図１には、空調機の設置工事が完了した状態のビルディングシステム１を示す。
【００３０】
〔ビルディングシステム〕
このビルディングシステム１は、図１に示されるように、主に、マルチ式空調機２、空調コントローラ３、監視制御コンピュータ８、無線ＬＡＮアクセスポイント４、および位置データ導出サーバ５、およびこれらの機器２，３，４，５，８を通信接続するイーサネット網１０から構成されている。以下、これらの各構成要素について詳述する。
【００３１】
（１）マルチ式空調機
マルチ式空調機２では、図１に示されるように、１台（複数台であってもよい）の室外機２１に対して複数台の室内機２０が冷媒配管２２およびイーサネット（登録商標）網１０を介して接続される。
【００３２】
そして、この室内機２０は、室内熱交換器（図示せず）や、膨張弁（図示せず）、室内ファン（図示せず）、電装品ボックス２３（図２参照）、スイッチユニット１８等を備えている。この室内機２０では、室外機２１から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機２０は、居室を冷房したり暖房したりする。また、電装品ボックス２３には、図２に示されるように、マイクロコンピュータ２４、第１ＥＥＰＲＯＭ２５、第１ＬＡＮインタフェース２６、第１入力インターフェイス１９、およびＡ／Ｄコンバータ（アナログ／デジタルコンバータ）２９等が内蔵されている。マイクロコンピュータ２４は、バス線２７ａ，２７ｂ，２７ｃ，２７ｄを介して第１ＥＥＰＲＯＭ２５、第１ＬＡＮインタフェース２６、Ａ／Ｄコンバータ２９、および第１入力インターフェイス１９に接続されている。第１ＬＡＮインタフェース２６は、イーサネット網１０を介して室外機２１および空調コントローラ３と通信接続されている。Ａ／Ｄコンバータ２９は、制御用通信線２８などを介して膨張弁や室内ファン等へ通信接続されている。第１入力インターフェイス１９は、第２通信線１７を介してスイッチユニット１８に通信接続されている。
【００３３】
マイクロコンピュータ２４は図示しない第１制御部および第１演算部を有しており、第１制御部は第１ＥＥＰＲＯＭ２５に記憶されている制御プログラムに記述される命令や、室外機２１または空調コントローラ３から送信される制御信号に従って、膨張弁の開度を制御したり、室内ファンの回転数を制御したり、第１ＥＥＰＲＯＭ２５に記憶されている各種データ等をイーサネット網１０を介して室外機２１や空調コントローラ３に送信したりする。また、第１演算部は、第１制御部の指示に従って、第１制御部、第１ＥＥＰＲＯＭ２５、または第１ＬＡＮインタフェース２６から必要なデータを取得して演算処理（例えば、算術演算処理や論理演算処理等）を行う。第１ＥＥＰＲＯＭ２５には、上述した制御プラグラムのみならず各室内機２０の機種番号データやシリアル番号データ等が格納されている。なお、本実施の形態においてシリアル番号データは、２４ビットで構成されている。また、この第１ＥＥＰＲＯＭ２５には、後述するエンジニアリング用コンピュータ７により割り振られるＩＰアドレスが格納される。スイッチ１８は、主に、図示しないスイッチ回路と、スイッチ回路に接続されるスイッチボタン１６とから構成されている。なお、本実施の形態では、このスイッチボタン１６がサービスエンジニア等により押されると、第１ＥＥＰＲＯＭ２５に格納されるＩＰアドレスが無線ＬＡＮアクセスポイント４を介してエンジニアリング用コンピュータ７（後述）に送信されるようになっている。
【００３４】
室外機２１は、室外熱交換器（図示せず）や、室外ファン（図示せず）、電装品ボックス（図示せず）、圧縮機（図示せず）、四路切替弁（図示せず）などを備えている。この電装品ボックスには、室内機２０の電装品ボックス２３とほぼ同様にマイクロコンピュータ、ＥＥＰＲＯＭ、ＬＡＮインタフェース、およびＡ／Ｄコンバータ等が内蔵されている。
【００３５】
（２）空調コントローラ
空調コントローラ３は、マルチ式空調機２の集中管理機器であって、図３に示されるように、主に、第２中央処理部３１、第２ＲＡＭ（Random Access Memory）３２、第２ＲＯＭ（Read Only Memory）３４、第２ＥＥＰＲＯＭ３５、第２Ｉ／Ｏ制御部３３、第２ＬＡＮインターフェイス３７、および第２ＬＡＮコネクタ３９から構成されている。ここで、第２中央処理部３１、第２ＲＡＭ３２、第２ＲＯＭ３４、第２ＥＥＰＲＯＭ３５、および第２Ｉ／Ｏ制御部３３は、例えば、マイクロコンピュータであって、相互に第１バス線３６によって接続されており、１つの集積回路を構成している。第２ＬＡＮインターフェイス３７は、例えば、プリント回路基板等であって、第２バス線３８を介して第２Ｉ／Ｏ制御部３３に接続されている。第２ＬＡＮコネクタ３９は、第４通信線４０を介して第２ＬＡＮインターフェイス３７に接続されている。
【００３６】
第２中央処理部３１は、主に、第２制御部３１Ａおよび第２演算部３１Ｂを有する。第２制御部３１Ａは、図４に示されるように、第２ＲＯＭ３４に記憶されている空調管理プログラムを読み込み（Ｆｄ６参照）、読み込んだ空調管理プログラムに従って第２演算部３１Ｂ、第２ＲＡＭ３２、第２ＲＯＭ３４、第２ＥＥＰＲＯＭ３５、または第２Ｉ／Ｏ制御部３３に動作を指示する（Ｆｃ１〜Ｆｃ４参照）。第２演算部３１Ｂは、図４に示されるように、第２制御部３１Ａの指示に従って第２制御部３１Ａ、第２ＲＡＭ３２、第２ＲＯＭ３４、または第２ＥＥＰＲＯＭ３５から必要なデータを取得して（Ｆｄ１、Ｆｄ４、およびＦｄ７参照）演算処理（例えば、算術演算処理や論理演算処理等）を行う。また、この第２演算部３１Ｂは、第２制御部３１Ａの指示に従って、演算処理の処理結果データを第２制御部３１Ａに供給することができる（Ｆｄ２参照）。また、この第２演算部３１Ｂは、第２制御部３１Ａの指示に従って、演算処理の処理結果データを第２ＲＡＭ３２や第２ＥＥＰＲＯＭ３５に書き込むことができる（Ｆｄ３参照）。
【００３７】
第２ＲＡＭ３２は、図４に示されるように、第２制御部３１Ａの指示に従って、各種データを第２制御部３１Ａに供給することができる（Ｆｄ５参照）。また、この第２ＲＡＭ３２は、各種データを第２Ｉ／Ｏ制御部３３から取得して（Ｆｄ９参照）一時記憶したり、第２演算部３１Ｂから送信されるデータ（Ｆｄ３参照）を一時記憶したりする。また、この第２ＲＡＭ３２は、第２制御部３１Ａの指示に応じて一時記憶しているデータを第２Ｉ／Ｏ制御部３３に送信する（Ｆｄ８参照）。
【００３８】
第２ＲＯＭ３４には、空調管理プログラムや各種データが格納されている。そして、この第２ＲＯＭ３４は、図４に示されるように、第２制御部３１Ａの指示に従って、それらを第２制御部３１Ａに供給する（Ｆｄ６参照）。また、この第２ＲＯＭ３４は、第２制御部３１Ａの指示に従って、各種データを第２演算部３１Ｂに供給することができる（Ｆｄ７参照）。
【００３９】
第２ＥＥＰＲＯＭ３５は、電気的に書き換え可能なＲＯＭであり、室内機２０のＩＰアドレス、室内機２０の設置位置データ、マルチ式空調機２の監視データなどを記憶する。なお、本実施の形態では、室内機２０のＩＰアドレスおよび設置位置データは、後述するエンジニアリング用コンピュータ７から、対応付けされたかたちで提供される。
【００４０】
第２Ｉ／Ｏ制御部３３は、マルチ式空調機２から送信されてくるデータや、後述する監視制御コンピュータ８から送信されるデータ等を第２ＲＡＭ３２へ入力したり（Ｆｄ９参照）、第２ＲＡＭ３２に記憶されている各種データや制御信号などをマルチ式空調機２や、監視制御コンピュータ８に送信したりする。
【００４１】
第２ＬＡＮインターフェイス３７は、第４通信線４０を介して第２ＬＡＮコネクタ３９に接続されており、マルチ式空調機２から送信されてくるデータや、監視制御コンピュータ８から送信されるデータ等を受信すると同時にそれらのデータを第２中央処理部３１が処理可能な形式に変換したり、第２Ｉ／Ｏ制御部３３からマルチ式空調機２や監視制御コンピュータ８に出力されるデータおよび制御信号などを、マルチ式空調機２や監視制御コンピュータ８が処理可能な形式に変換したりする。
【００４２】
第２ＬＡＮコネクタ４０には、図３に示されるように、イーサネット網１０を介してマルチ式空調機２や監視制御コンピュータ８が接続される。
【００４３】
（３）監視制御コンピュータ
監視制御コンピュータ８は、図５に示されるように、主に、第３本体８０、第３入力装置８９、および第３ディスプレイ９０から構成されている。
【００４４】
第３本体８０は、図５に示されるように、主に、第３中央処理部８１、第３メインメモリ８３、第３ハードディスク８４、第３接続部８２、第３ＩＤＥインターフェイス８５、第３入力インターフェイス８６、第３ディスプレイインターフェイス８７、第３ＬＡＮインターフェイス８８、および第３ＬＡＮコネクタ９６から構成されている。そして、この第３本体８０では、第３中央処理部８１が第３バス線９１を介して、第３メインメモリ８３が第４バス線９２を介して、各種インターフェイス８５〜８８が第５バス線９３を介して第３接続部８２に接続されている。
【００４５】
ここで、第３中央処理部８１は、例えば、マイクロプロセッサと呼ばれる半導体チップ等であって、主に、第３制御部８１Ａおよび第３演算部８１Ｂから構成される（他に１次キャッシュメモリや２次キャッシュメモリ等を含んでいてもよい）。
【００４６】
第３メインメモリ８３は、例えば、ＲＡＭ（ランダムアクセスメモリ）等の半導体チップである。第３接続部８２は、チップセット等の半導体チップである。
【００４７】
第３ハードディスク８４には、図６に示されるように、オペレーティングシステム８４ａ、デバイスドライバ８４ｂ、および空調管理アプリケーション８４ｃ等のプログラム等が格納されている。なお、この第３ハードディスク８４は、外付けタイプであってもかまわない。オペレーティングシステム８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部８２〜８４、各種インターフェイス８５〜８８、各装置８９，９０等のハードウェア管理や、ユーザインターフェイスの提供、各種データの管理、アプリケーションの共通部分の処理等を行う。デバイスドライバ８４ｂは、第３ハードディスク８４、第３接続部８２、および各装置８９，９０それぞれに対して用意されている専用プログラムであって、オペレーティングシステム８４ａが第３ハードディスク８４、第３接続部８２、および各装置８９，９０を制御するための橋渡しを行う。空調管理アプリケーション８４ｃは、空調コントローラ３から各種データを取得して第３ディスプレイ９０上に表示したり、第３入力装置８９により入力されたデータを空調コントローラ３に送信したりするためのプログラムである。
【００４８】
第３ＩＤＥ（Integrated Drive Electronics）インターフェイス８５は、第３ハードディスク８４を第３接続部８２に接続する。第３入力インターフェイス８６は、例えば、ＰＳ／２、ＵＳＢ、ＩＥＥＥ１２８４、ＲＳ２３２、あるいはＩｒＤＡ（Infrared Data Association）等のインターフェイスであって、第３メインメモリ８３にデータを入力するためのキーボード、マウス、スキャナ、あるいはＯＣＲ（Optical Character Reader）等といった第３入力装置８９を接続する。第３ディスプレイインターフェイス８７は、例えば、ＡＧＰ（Accelerated Graphics Port）、ＰＣＩ（Peripheral Component Interconnect）、あるいはＲＳ２３２等のインターフェイスであって、第３メインメモリ８３から送信されてきたデータを文字や画像として表示するためのＣＲＴディスプレイ、液晶ディスプレイ、あるいはプラズマディスプレイ等といった第３ディスプレイ９０を接続する。第３ＬＡＮインターフェイス８８は、第５通信線９５を介して第３ＬＡＮコネクタ９６に接続されており、空調コントローラ３から送信されるデータ等を受信すると同時にそれらのデータを第３中央処理部８１が処理可能な形式に変換したり、空調コントローラ３に出力されるデータおよび制御信号などを、空調コントローラ３が処理可能な形式に変換したりする。
【００４９】
第３ＬＡＮコネクタ９６には、図５に示されるように、イーサネット網１０を介して空調コントローラ３が接続される。
【００５０】
次に、図７を用いて監視制御コンピュータ８の動作について説明する。
【００５１】
第３制御部８１Ａは、図７に示されるように、第３メインメモリ８３に一時記憶されるプログラムを読み込み（Ｆｄ６参照）、読み込んだプログラムに従って各部８２〜８４および各装置８９，９０に動作を指示する（Ｆｃ１〜Ｆｃ６参照）。第３演算部８１Ｂは、第３制御部８１Ａの命令に従って第３メインメモリ８３から必要なデータを取得して（Ｆｄ２参照）演算処理（例えば、算術演算処理や論理演算処理等）を行う。第３メインメモリ８３は、プログラムやデータ等を第３ハードディスク８４から取得して（Ｆｄ４参照）一時記憶したり、第３入力装置８９において入力されたデータを一時記憶したり（Ｆｄ１参照）、第３演算部８１Ｂや第３ＬＡＮインターフェイス８８等から送信されるデータ等（Ｆｄ３およびＦｄ９参照）を一時記憶したりする。また、この第３メインメモリ８３は、第３制御部８１Ａの命令に応じて一時記憶しているデータ等を各部８２〜８４および各装置８９，９０に送信する（Ｆｄ２、Ｆｄ５、Ｆｄ７、およびＦｄ８参照）。第３ハードディスク８４は、第３制御部８１Ａの命令に応じて第３メインメモリ８３にプログラムやデータ等を供給したり（Ｆｄ４参照）第３メインメモリ８３から送信されるデータ等を格納したりする（Ｆｄ５参照）。
【００５２】
（４）無線ＬＡＮアクセスポイント
無線ＬＡＮアクセスポイント４は、マルチ式空調機２や位置データ導出サーバ５とエンジニアリング用コンピュータ７（後述）とを無線通信接続させるための装置である。なお、この無線ＬＡＮアクセスポイント４は、エンジニアリング用コンピュータ７からデータが送信されるときに発せられる電波の強度を測定して電波強度データを生成することができ、その生成した電波強度データを、エンジニアリング用コンピュータ７から送信されるデータとともに位置データ導出サーバ５へ送信する。また、この無線ＬＡＮアクセスポイント４は、各居室に必ず３台以上配置される。
【００５３】
（５）位置データ導出サーバ
位置データ導出サーバ５は、図８に示されるように、主に、第４中央処理部５１、第４メインメモリ５３、第４ハードディスク５４、第４接続部５２、第４ＩＤＥインターフェイス５５、第４ＬＡＮインターフェイス５６、および第４ＬＡＮコネクタ５７から構成されている。そして、この位置データ導出サーバ５では、第４中央処理部５１が第６バス線５８を介して、第４メインメモリ５３が第７バス線５９を介して、各種インターフェイス５５，５６が第８バス線６０を介して第４接続部５２に接続されている。
【００５４】
ここで、第４中央処理部５１は、例えば、マイクロプロセッサと呼ばれる半導体チップ等であって、主に、第４制御部５１Ａおよび第４演算部５１Ｂから構成される（他に１次キャッシュメモリや２次キャッシュメモリ等を含んでいてもよい）。
【００５５】
第４メインメモリ５３は、例えば、ＲＡＭ（ランダムアクセスメモリ）等の半導体チップである。第４接続部５２は、チップセット等の半導体チップである。
【００５６】
第４ハードディスク５４には、図９に示されるように、オペレーティングシステム５４ａ、デバイスドライバ５４ｂ、および位置データ導出アプリケーション５４ｃ等のプログラム等が格納されている。なお、この第４ハードディスク５４は、外付けタイプであってもかまわない。オペレーティングシステム５４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部５２〜５４、各種インターフェイス５５，５６等のハードウェア管理や、ユーザインターフェイスの提供、各種データの管理、アプリケーションの共通部分の処理等を行う。デバイスドライバ５４ｂは、ハードディスク５４および接続部５２それぞれに対して用意されている専用プログラムであって、オペレーティングシステム５４ａが第４ハードディスク５４および第４接続部５２を制御するための橋渡しを行う。位置データ導出アプリケーション５４ｃは、３台以上の無線ＬＡＮアクセスポイント４から送信されてくる電波強度データを利用してエンジニアリング用コンピュータ７の位置データ（平面座標データ）を導出し、導出した位置データをエンジニアリング用コンピュータ７に送信するためのプログラムである。
【００５７】
第４ＩＤＥ（Integrated Drive Electronics）インターフェイス５５は、第４ハードディスク５４を第４接続部５２に接続する。第４ＬＡＮインターフェイス５６は、第６通信線６１を介して第４ＬＡＮコネクタ５７に接続されており、無線ＬＡＮアクセスポイント４から送信される電波強度データ等を受信すると同時にそれらのデータを第４中央処理部５１が処理可能な形式に変換したり、空調コントローラ３に出力されるデータおよび制御信号などを、空調コントローラ３が処理可能な形式に変換したりする。
【００５８】
第４ＬＡＮコネクタ５７には、図８に示されるように、イーサネット網１０を介して複数の無線ＬＡＮアクセスポイント４が接続される。
【００５９】
次に、図１０を用いて位置データ導出サーバ５の動作について説明する。
【００６０】
第４制御部５１Ａは、図１０に示されるように、第４メインメモリ５３に一時記憶されるプログラムを読み込み（Ｆｄ６参照）、読み込んだプログラムに従って各部５２〜５４に動作を指示する（Ｆｃ２〜Ｆｃ５参照）。第４演算部５１Ｂは、第４制御部５１Ａの命令に従って第４メインメモリ５３から必要なデータを取得して（Ｆｄ２参照）演算処理（例えば、算術演算処理や論理演算処理等）を行う。第４メインメモリ５３は、プログラムやデータ等を第４ハードディスク５４から取得して（Ｆｄ４参照）一時記憶したり、第４演算部５１Ｂや第４ＬＡＮインターフェイス５６等から送信されるデータ等（Ｆｄ３およびＦｄ９参照）を一時記憶したりする。また、この第４メインメモリ５３は、第４制御部５１Ａの命令に応じて一時記憶しているデータ等を各部５２〜５４に送信する（Ｆｄ２、Ｆｄ５、およびＦｄ８参照）。第４ハードディスク５４は、第４制御部５１Ａの命令に応じて第４メインメモリ５３にプログラムやデータ等を供給したり（Ｆｄ４参照）第４メインメモリ５３から送信されるデータ等を格納したりする（Ｆｄ５参照）。
【００６１】
（６）イーサネット網
イーサネット網１０は、イーサネットケーブル、ＨＵＢ（図示せず）、ルータ（図示せず）等により構築されている。
【００６２】
〔エンジニアリング用コンピュータ〕
ここでは、図１１〜１３の図面を参照しながら本発明の実施の形態に係るエンジニアリング用コンピュータ７について説明する。
【００６３】
エンジニアリング用コンピュータ７は、サービスエンジニア等が携帯するノート型パーソナルコンピュータであって、図１１に示されるように、主に、第５中央処理部７１、第５メインメモリ７３、第５ハードディスク７４、第５接続部７２、第５ＩＤＥインターフェイス７５、第５入力インターフェイス７６、第５ディスプレイインターフェイス７７、無線ＬＡＮインターフェイス７８、第５入力部７９、第５ディスプレイ部４６、および無線送受信部４７から構成されている。そして、このエンジニアリング用コンピュータ７では、第５中央処理部７１が第９バス線４１を介して、第５メインメモリ７３が第１０バス線４２を介して、各種インターフェイス７５〜７８が第１１バス線４９を介して第５接続部７２に接続されている。
【００６４】
ここで、第５中央処理部７１は、例えば、マイクロプロセッサと呼ばれる半導体チップ等であって、主に、第５制御部７１Ａおよび第５演算部７１Ｂから構成される（他に１次キャッシュメモリや２次キャッシュメモリ等を含んでいてもよい）。
【００６５】
第５メインメモリ７３は、例えば、ＲＡＭ（ランダムアクセスメモリ）等の半導体チップである。第５接続部７２は、チップセット等の半導体チップである。
【００６６】
第５ハードディスク７４には、図１２に示されるように、オペレーティングシステム７４ａ、デバイスドライバ７４ｂ、位置データ表示アプリケーション７４ｃ、ＩＰアドレス割当アプリケーション７４ｄ、室内機バインディングアプリケーション７４ｅ等のプログラム、ならびに設計情報データベース７４ｆや実情報データベース７４ｇ等が格納されている。オペレーティングシステム７４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部４６，７２〜７４，７９、各種インターフェイス７５〜７８等のハードウェア管理や、ユーザインターフェイスの提供、各種データの管理、アプリケーションの共通部分の処理等を行う。デバイスドライバ７４ｂは、第５ハードディスク７４、第５接続部７２、および各部４６，７９それぞれに対して用意されている専用プログラムであって、オペレーティングシステム７４ａが第５ハードディスク７４、第５接続部７２、および各部４６，７９を制御するための橋渡しを行う。位置データ表示アプリケーション７４ｃは、位置データ導出サーバ５から無線ＬＡＮアクセスポイント４を介して送信されてくるエンジニアリング用コンピュータ７の位置データをビルのフロアレイアウト図上に表示する。なお、このフロアレイアウト図には、室内機２０のレイアウトも反映されている。ＩＰアドレス割当アプリケーション７４ｄは、室内機２０および室外機２１、１台１台にＩＰアドレスを割り振るためのプログラムである。室内機バイディングアプリケーション７４ｅは、主に、設計データ入力ルーチン、ＩＰアドレス−設置位置データバインディングルーチン、機種データ収集ルーチン、冷媒系統検出ルーチン、およびデータ比較ルーチンから構成されるプログラムである。設計データ入力ルーチンは、第５入力部７９からサービスエンジニア等により入力される設計データを設計情報データベース７４ｆに格納するためのプログラムである。なお、この設計情報データベース７４ｆにおいて、機種データ、設置位置データ、および冷媒系統データは、互いに対応付けられている。ＩＰアドレス−設置位置データバインディングルーチンは、室内機２０から無線ＬＡＮアクセスポイント４を介して発信されるＩＰアドレスを無線送受信部４７が受信すると、予め実情報データベース７４ｆに登録される室内機２０の設置位置データのうち第５ディスプレイ部４６上で選択されている特定の設置位置データに、そのＩＰアドレスを対応付けてデータベース７４ｅに格納するためのプログラムである。機種データ収集ルーチンは、室内機２０の第１ＥＥＰＲＯＭ２５に格納されている機種データを収集するためのプログラムである。冷媒系統検出ルーチンは、室外機２１を１台ずつ冷房モードで運転させ、温度が所定値以下に低下した室内熱交換器を有する室内機２０を同一冷媒系統に属するものとして実情報データベース７４ｇに登録するためのプログラムである。なお、本実施の形態においては、冷媒系統検出ルーチン実行中に室内熱交換器の温度が所定値以下に低下すると、その室内機２０がエンジニアリング用コンピュータ７に自己の有���るＩＰアドレスを送信するようになっている。そして、冷媒系統検出ルーチンは、そのＩＰアドレスに対応する冷媒系統データの欄に冷媒系統データを自動入力するようになっている。データ比較ルーチンは、設計情報データベース７４ｆと実情報データベース７４ｇとを比較するためのプログラムである。なお、このデータ比較ルーチンにおいて設計情報データベースと実情報データベース７４ｇとが一致する場合は、第５ディスプレイ部４６に情報入力ダイアログ（図２１参照）が表示されるようになっている。一方、このデータ比較ルーチンにおいて設計情報データベース７４ｆと実情報データベース７４ｇとが一致しない場合は、第５ディスプレイ部４６に警告ダイアログが表示されるようになっている。
【００６７】
第５ＩＤＥ（Integrated Drive Electronics）インターフェイス７５は、第５ハードディスク７４を第５接続部７２に接続する。第５入力インターフェイス７６は、第５メインメモリ７３にデータを入力するためのキーボード、トラックボールやタッチパッド等のポインティングデバイス等といった第５入力部７９を接続する。
【００６８】
第５ディスプレイインターフェイス７７は、例えば、ＡＧＰ（Accelerated Graphics Port）、ＰＣＩ（Peripheral Component Interconnect）、あるいはＲＳ２３２等のインターフェイスであって、第５メインメモリ７３から送信されてきたデータを文字や画像として表示するための第５ディスプレイ部４６を接続する。
【００６９】
無線ＬＡＮインターフェイス７８は、第７通信線４８を介して無線送受信部４７に接続されており、無線ＬＡＮアクセスポイント４から送信されるデータ等を受信すると同時にそれらのデータを第５中央処理部７１が処理可能な形式に変換したり、無線ＬＡＮアクセスポイント４に出力されるデータ等を、位置データ導出サーバ５が処理可能な形式に変換したりする。
【００７０】
次に、図１３を用いてエンジニアリング用コンピュータ７の動作について説明する。
【００７１】
第５制御部７１Ａは、図１３に示されるように、第５メインメモリ７３に一時記憶されるプログラムを読み込み（Ｆｄ６参照）、読み込んだプログラムに従って各部４６，７２〜７４，７９に動作を指示する（Ｆｃ１〜Ｆｃ６参照）。第５演算部７１Ｂは、第５制御部７１Ａの命令に従って第５メインメモリ７３から必要なデータを取得して（Ｆｄ２参照）演算処理（例えば、算術演算処理や論理演算処理等）を行う。第５メインメモリ７３は、プログラムやデータ等を第５ハードディスク７４から取得して（Ｆｄ４参照）一時記憶したり、第５入力部７９において入力されたデータを一時記憶したり（Ｆｄ１参照）、第５演算部７１Ｂや無線ＬＡＮインターフェイス７８等から送信されるデータ等（Ｆｄ３およびＦｄ９参照）を一時記憶したりする。また、この第５メインメモリ７３は、第５制御部７１Ａの命令に応じて一時記憶しているデータ等を各部４６，７２〜７４，７９に送信する（Ｆｄ２、Ｆｄ５、Ｆｄ７、およびＦｄ８参照）。第５ハードディスク７４は、第５制御部７１Ａの命令に応じて第５メインメモリ７３にプログラムやデータ等を供給したり（Ｆｄ４参照）第５メインメモリ７３から送信されるデータ等を格納したりする（Ｆｄ５参照）。
【００７２】
〔ＩＰアドレスの付与作業〕
先ず、サービスエンジニア等がエンジニアリング用コンピュータ７を無線ＬＡＮを利用してイーサネット網１０に通信接続させる。続いて、サービスエンジニア等が第５入力部７９を操作してＩＰアドレス割当アプリケーション７４ｄを起動させると、第５演算部７１Ｂが、第５制御部７１Ａの指示に従って、ビットカウントｎ、アドレスナンバＡＤＲ、およびステータスカウントＳＴをそれぞれ０に初期化する。なお、このとき、エンジニアリング用コンピュータ７の第５ディスプレイ部４６には、図２２に示される画面が表示される。その後、サービスエンジニア等が、エンジニアリング用コンピュータ７の第５入力部７９を操作してＩＰアドレス割振アプリケーション７４ｄを実行させると、エンジニアリング用コンピュータ７において図１４および図１５に示される処理が、各室内機２０および各室外機２１において図１６、図１７、および図１８に示される処理が行われる。
【００７３】
図１４および図１５において、ステップＳ１では、第５制御部７１Ａが、室内機２０または室外機２１にアドレス設定完了確認コマンドを送信する。
【００７４】
ステップＳ２では、第５演算部７１Ｂが、第５制御部７１Ａの指示に従って、無線ＬＡＮインターフェイス７８が室内機２０または室外機２１から応答信号を受信したか否かを判定する。そして、ステップＳ２において第５演算部７１Ｂが「無線ＬＡＮインターフェイス７８が室内機２０または室外機２１から応答信号を受信した」と判定した場合、処理はステップＳ３に移る。一方、ステップＳ２において第５演算部７１Ｂが「無線ＬＡＮインターフェイス７８は室内機２０または室外機２１から応答信号を受信していない」と判定した場合、処理は終了する。
【００７５】
ステップＳ３では、第５制御部７１Ａが、室内機２０または室外機２１にオートアドレス開始コマンドを送信する。
【００７６】
ステップＳ４では、第５演算部７１Ｂが、第５制御部７１Ａの指示に従って、室内機２０または室外機２１に対して、第１ＥＥＰＲＯＭ２５に記憶されるシリアル番号のビット列の最上位ビットから各ビットナンバｎのビットに１が設定されているか否かを確認するための確認コマンド（確認信号）を出力する。
【００７７】
ステップＳ５では、第５演算部７１Ｂが、第５制御部７１Ａの指示に従って、１００ｍｓのタイマＴＭをセットする。
【００７８】
ステップＳ６では、第５演算部７１Ｂが、第５制御部７１Ａの指示に従って、無線ＬＡＮインターフェイス７８がステータス（応答信号）を受信したか否かを判定する。そして、ステップＳ６において第５演算部７１Ｂが「無線ＬＡＮインターフェイス７８がステータス（応答信号）を受信した」と判定した場合、処理はステップＳ８に移る。一方、ステップＳ６において第５演算部７１Ｂが「無線ＬＡＮインターフェイス７８はステータス（応答信号）を受信していない」と判定した場合、処理はステップＳ７に移る。
【００７９】
ステップＳ７では、第５演算部７１Ｂが、第５制御部７１Ａの指示に従って、タイマＴＭがタイムアップしたか否かを判定する。そして、ステップＳ７において第５演算部７１Ｂが「タイマＴＭがタイムアップした」と判定した場合、処理はステップＳ９に移る。一方、ステップＳ７において第５演算部７１Ｂが「タイマＴＭはタイムアップしていない」と判定した場合、処理はステップＳ６に戻る（つまり、タイマＴＭがタイムアップするまでステップＳ６の処理が行われることになる）。
【００８０】
ステップＳ８では、第５演算部７１Ｂが、第５制御部７１Ａの指示に従って、ステータスカウントＳＴを１つインクリメントする。
【００８１】
ステップＳ９では、第５演算部７１Ｂが、第５制御部７１Ａの指示に従って、ビットナンバｎを１つインクリメントする。
【００８２】
ステップＳ１０では、第５演算部７１Ｂが、第５制御部７１Ａの指示に従って、ビットナンバｎが２４以上になったか否かを判定する。そして、ステップＳ１０において第５演算部７１Ｂが「ビットナンバｎが２４以上になった」と判定した場合、処理はステップＳ１１に移る。ステップＳ１０において第５演算部７１Ｂが「ビットナンバｎは２４以上になっていない」と判定した場合、処理はステップＳ４に戻る（つまり、ビットナンバｎが２４になるまでステップＳ４からステップＳ９の処理が繰り返されることになる）。
【００８３】
ステップＳ１１では、第５演算部７１Ｂが、第５制御部７１Ａの指示に従って、ビットカウンタｎを０にリセットする。
【００８４】
ステップＳ１２では、第５演算部７１Ｂが、第５制御部７１Ａの指示に従って、ステータスカウンタＳＴが０であるか否かを判定する。ステップＳ１２において第５演算部７１Ｂが「ステータスカウンタＳＴが０である」と判定した場合、処理はステップＳ１５に移る。ステップＳ１２において第５演算部７１Ｂが「ステータスカウンタＳＴは０でない」と判定した場合、処理はステップＳ１３に移る。
【００８５】
ステップＳ１３では、第５制御部７１Ａが、設定するアドレスナンバＡＤＲのアドレス設定コマンド（ＩＰアドレス設定信号）を室内機２０または室外機２１に送信する。
【００８６】
ステップＳ１４では、第５演算部７１Ｂが、第５制御部７１Ａの指示に従って、アドレスナンバＡＤＲを１つインクリメントするととともに、ステータスカウンタＳＴを０にリセットする。なお、ステップＳ１４の処理が完了すると、処理はステップＳ４に戻る。つまり、ステップＳ４からステップＳ１４において、室内機２０または室外機２１に１つのアドレスが設定されることになる。なお、この際、２４ビットの確認コマンドに対して最後にステータスを送信した室内機２０または室外機２１に１のアドレスが設定されることになる。このようにして、順に各室内機２０または室外機２１にＩＰアドレスが設定されることになる。
【００８７】
ステップＳ１５では、第５演算部７１Ｂが、第５制御部７１Ａの指示に従って、アドレスナンバＡＤＲが０であるか否かを判定する。ステップＳ１５において第５演算部７１Ｂが「アドレスナンバＡＤＲが０である」と判定した場合、処理はステップＳ１に戻る。ステップＳ１５において第５演算部７１Ｂが「アドレスナンバＡＤＲは０でない」と判定した場合、処理は終了する。
【００８８】
この一方、図１６、図１７、および図１８において、ステップＳ２１では、第１演算部などが、第１制御部などの指示に従って、アドレス設定が完了しているか否かを判定する。ステップＳ１において第１演算部などが「アドレス設定が完了している」と判定した場合、処理はステップＳ２４に移る。ステップＳ１において第１演算部などが「アドレス設定が完了していない」と判定した場合、処理はステップＳ２２に移る。
【００８９】
ステップＳ２２では、第１演算部などが、第１制御部などの指示に従って、第１ＬＡＮインターフェイス２６などがアドレス設定完了確認コマンドを受信したか否かを判定する。ステップＳ２２において第１演算部などが「第１ＬＡＮインターフェイス２６などがアドレス設定完了確認コマンドを受信した」と判定した場合、処理はステップＳ２３に移る。ステップＳ２２において第１演算部などが「第１ＬＡＮインターフェイス２６などはアドレス設定完了確認コマンドを受信していない」と判定した場合、処理はステップＳ２４に移る。
【００９０】
ステップＳ２３では、第１制御部などが、エンジニアリング用コンピュータ７にステータスを送信する。
【００９１】
ステップＳ２４では、第１演算部などが、第１制御部などの指示に従って、第１ＬＡＮインターフェイス２６などがオートアドレス開始コマンドを受信したか否かを判定する。ステップＳ２４において第１演算部などなどが「第１ＬＡＮインターフェイス２６などがオートアドレス開始コマンドを受信した」と判定した場合、処理はステップＳ２５に移る。ステップＳ２４において第１演算部などが「第１ＬＡＮインターフェイス２６などはオートアドレス開始コマンドを受信していない」と判定した場合、処理はステップＳ２４に戻る（つまり、処理は、第１ＬＡＮインターフェイス２６などがオートアドレス開始コマンドを受信するまで待機されることになる）。
【００９２】
ステップＳ２５では、第１演算部などが、第１制御部などの指示に従って、アドレスデータを消去する。
【００９３】
ステップＳ２６では、第１演算部などが、第１制御部などの指示に従って、第１ＬＡＮインターフェイス２６などがエンジニアリング用コンピュータ７からビットナンバｎの確認コマンドを受信したか否かを判定する。そして、ステップＳ２６において第１演算部などが「第１ＬＡＮインターフェイス２６などがエンジニアリング用コンピュータ７からビットナンバｎの確認コマンドを受信した」と判定した場合、処理はステップＳ２７に移る。一方、ステップＳ２６において第１演算部などが「第１ＬＡＮインターフェイス２６などはエンジニアリング用コンピュータ７からビットナンバｎの確認コマンドを受信していない」と判定した場合、処理はステップＳ２６に戻る（つまり、処理は、第１ＬＡＮインターフェイス２６などがエンジニアリング用コンピュータ７からビットナンバｎの確認コマンドを受信するまで待機されることになる）。
【００９４】
ステップＳ２７では、第１演算部などが、第１制御部などの指示に従って、ビットナンバｎの確認コマンドのビットナンバｎに対応して、第１ＥＥＰＲＯＭ２５などに記憶されているシリアル番号データのビット列におけるビットナンバｎのビットに１が設定されているか否かを判定する。そして、ステップＳ２７において第１演算部などが「ビットナンバｎの確認コマンドのビットナンバｎに対応したシリアル番号データのビットに１が設定されている」と判定した場合、処理はステップＳ２８に移る。一方、ステップＳ２７において第１演算部などが「ビットナンバｎの確認コマンドのビットナンバｎに対応したシリアル番号データのビットに１が設定されていない」と判定した場合、処理はステップＳ３２に移る。
【００９５】
ステップＳ２８では、第１制御部などが、応答信号であるステータスをエンジニアリング用コンピュータ７に送信する。
【００９６】
ステップＳ２９では、第１演算部などが、第１制御部などの指示に従って、ビットナンバｎが２４になったか否かを判定する。そして、ステップＳ２９において第１演算部などが「ビットナンバｎが２４になった」と判定した場合、処理はステップＳ３０に移る。一方、ステップＳ２９において第１演算部などが「ビットナンバｎは２４になっていない」と判定した場合、処理はステップＳ２６に戻る。つまり、ステップＳ２６からステップＳ２９の処理はビットナンバｎが２４になるまで繰り返されることになる。
【００９７】
ステップＳ３０では、第１演算部などが、第１制御部などの指示に従って、第１ＬＡＮインターフェイス２６などがエンジニアリング用コンピュータ７からアドレス設定コマンドを受信したか否かを判定する。そして、ステップＳ３０において第１演算部などが「第１ＬＡＮインターフェイス２６などがエンジニアリング用コンピュータ７からアドレス設定コマンドを受信した」と判定した場合、処理はステップＳ３１に移る。一方、ステップＳ３０において第１演算部などが「第１ＬＡＮインターフェイス２６などはエンジニアリング用コンピュータ７からアドレス設定コマンドを受信していない」と判定した場合、処理はステップＳ３０に戻る（つまり、処理は、第１ＬＡＮインターフェイス２６などがエンジニアリング用コンピュータ７からアドレス設定コマンドを受信するまで待機されることになる）。
【００９８】
ステップＳ３１では、第１演算部などが、第１制御部などの指示に従って、アドレス設定コマンドに含まれているＩＰアドレスを第１ＥＥＰＲＯＭ２５などに書き込む。
【００９９】
ステップＳ３２では、第１演算部などが、第１制御部などの指示に従って、室内機２０、室外機２１、他の室内機２０、または他の室外機２１がステータスを送信したか否かを判定する。そして、ステップＳ３２において第１演算部などが「室内機２０、室外機２１、他の室内機２０、または他の室外機２１がステータスを送信した」と判定した場合、処理はステップＳ３４に移る。一方、ステップＳ３２において第１演算部などが「室内機２０、室外機２１、他の室内機２０、または他の室外機２１はステータスを送信していない」と判定した場合、処理はステップＳ３３に移る。
【０１００】
ステップＳ３３では、第１演算部などが、第１制御部などの指示に従って、第１ＬＡＮインターフェイス２６などが次の確認コマンドを受信したか否かを判定する。そして、ステップＳ３３において第１演算部などが「第１ＬＡＮインターフェイス２６などが次の確認コマンドを受信した」と判定した場合、処理はステップＳ２７に戻る。一方、ステップＳ３３において第１演算部などが「第１ＬＡＮインターフェイス２６などは次の確認コマンドを受信していない」と判定した場合、処理はステップＳ３２に戻る
ステップＳ３４では、第１演算部などが、第１制御部などの指示に従って、ビットナンバｎが２４になったか否かを判定する。そして、ステップＳ３４において第１演算部などが「ビットナンバｎが２４になった」と判定した場合、処理はステップＳ２７に戻る。一方、ステップＳ３４において第１演算部などが「ビットナンバｎは２４になっていない」と判定した場合、処理はステップＳ３５に移る。
【０１０１】
ステップＳ３５では、第１演算部などが、第１制御部などの指示に従って、第１ＬＡＮインターフェイス２６などが次の確認コマンドを受信したか否かを判定する。そして、ステップＳ３５において第１演算部などが「第１ＬＡＮインターフェイス２６などが次の確認コマンドを受信した」と判定した場合、処理はステップＳ３４に戻る。一方、ステップＳ３５において第１演算部などが「第１ＬＡＮインターフェイス２６などは次の確認コマンドを受信していない」と判定した場合、処理はステップＳ３５に戻る（つまり、処理は、第１ＬＡＮインターフェイス２６などが次の確認コマンドを受信するまで待機されることになる）。
【０１０２】
なお、このＩＰアドレス割振アプリケーション７４ｄの処理が完了すると、エンジニアリング用コンピュータ７の第５ディスプレイ部４６には、図２３に示されるように、割り振られたＩＰアドレスが表示される。
【０１０３】
〔サービスエンジニア等による室内機のＩＰアドレスと設置位置データとの対応付け作業の準備〕
サービスエンジニア等は、室内機２０のＩＰアドレスと設置位置データとの対応付け作業を開始する前に、建造物の設計図面などを参照して室内機２０の設置位置を確認しながら、エンジニアリング用コンピュータ７に室内機２０の設置位置データを入力していく。
【０１０４】
また、サービスエンジニア等は、無線ＬＡＮを利用してエンジニアリング用コンピュータ７をイーサネット網１０に通信接続しておく。
【０１０５】
〔サービスエンジニア等による室内機のＩＰアドレスと設置位置データとの対応付け作業〕
サービスエンジニア等は、室内機２０のＩＰアドレスと設置位置データとの対応付け作業を開始するに当たって、先ず、エンジニアリング用コンピュータ７に表示されるビルのフロアレイアウト図を見ながらいずれの室内機２０について対応付け作業を行うかを決める。サービスエンジニア等は、対応付け作業を行う室内機２０を決定すると、エンジニアリング用コンピュータ７を携帯し、フロアレイアウト図を参照しながらその室内機２０へと赴く。なお、このとき、フロアレイアウト図上には位置データ表示アプリケーション７４ｃによりサービスエンジニア等の位置データの軌跡が表示されるので、サービスエンジニア等は、自身が正しい室内機２０へ向かっているのかを確認することができる。そして、サービスエンジニア等は、目的の室内機２０の設置位置に到着すると、エンジニアリング用コンピュータ７に表示される複数の設置位置データのうち目的の室内機２０の設置位置に該当する設置位置データを選択する。
【０１０６】
次に、サービスエンジニア等は、エンジニアリング用コンピュータ７が無線ＬＡＮによりビルディングシステム１に接続されているかを確認した上で、その室内機２０に設けられているスイッチボタン１６を押す。すると、その室内機２０では、第１ＬＡＮインターフェイス２６が、第１ＥＥＰＲＯＭ２５からＩＰアドレスを読み出し、そのＩＰアドレスをイーサネット網１０および無線ＬＡＮアクセスポイント４を介してエンジニアリング用コンピュータ７に送信する。エンジニアリング用コンピュータ７の無線送受信部４７によって受信されたＩＰアドレスは、第５接続部７２を介して第５メインメモリ７３に送信されて一時的に記憶される。続いて、第５演算部７１Ｂが、第５制御部７１Ａの指示に従って、第５メインメモリ７２に一時的に記憶されているＩＰアドレスを、第５ディスプレイ部４６上で選択されている設置位置データと対応付ける（例えば、ＩＰアドレスに、設置位置データと同じＩＤ番号データを付す等が考えられる）。この後、第５演算部７１Ｂは、第５制御部７１Ａの指示に従って、設置位置データと対応付けられたＩＰアドレスを第５ハードディスク７４に格納する。なお、この一連の情報処理の流れは、上述した室内機バインディングプログラム７４ｄのＩＰアドレス−設置位置データバインディングルーチンの実行によって実現されている。
【０１０７】
サービスエンジニア等は、上記の作業を全ての室内機２０について行う。
【０１０８】
なお、対応付け作業が完了すると、エンジニアリング用コンピュータ７の第５ディスプレイ部４６には、図２４に示される画面が表示される。
【０１０９】
〔機種データ収集作業〕
先ず、サービスエンジニア等がエンジニアリング用コンピュータ７を無線ＬＡＮを利用してイーサネット網１０に通信接続させる。続いて、サービスエンジニア等が第５入力部７９を操作して室内機バイディングアプリケーション７４ｅの機種データ収集ルーチンを実行させると、エンジニアリング用コンピュータ７がＩＰアドレスを指定して室内機２０にアクセスし、その室内機２０の機種データを収集する。エンジニアリング用コンピュータ７は、この機種データ収集処理を全ての室内機２０に対して実行し、全て室内機２０の機種データを収集する。なお、収集された機種データは全て実情報データベース７４ｇに格納される。
【０１１０】
〔冷媒系統の検出作業〕
先ず、サービスエンジニア等がエンジニアリング用コンピュータ７を無線ＬＡＮを利用してイーサネット網１０に通信接続させる。続いて、サービスエンジニア等が第５入力部７９を操作して室内機バイディングアプリケーション７４ｅの冷媒系統検出ルーチンを実行させると、図１９に示される処理が行われる。
【０１１１】
図１９において、ステップＳ４１では、第５制御部７１Ａが、全ての室内機２０の室内ファンを動作させる。
【０１１２】
ステップＳ４２では、第５制御部７１Ａが、いずれかの室外機２１の圧縮機を駆動させてマルチ式空調機２を冷房運転する。
【０１１３】
ステップＳ４３では、第１演算部が、第１制御部の指示に従って、室内熱交換器近傍の温度センサから得られる温度データを収集し、室内熱交換器の温度Ｔｉが所定の温度Ｔｅに至ったかを判定する。ステップＳ４３において第１演算部が「室内熱交換器の温度Ｔｉが所定の温度Ｔｅに至った」と判定した場合、処理はステップＳ４３に移る。ステップＳ４３において第１演算部が「室内熱交換器の温度Ｔｉが所定の温度Ｔｅに至っていない」と判定した場合、処理はステップＳ４３に戻る（つまり、室内熱交換器の温度Ｔｉが所定の温度Ｔｅに至るまでステップＳ４３の処理が行われることになる）。
【０１１４】
ステップＳ４４では、第１制御部が、第１ＬＡＮインターフェイス２６を介して第１ＥＥＰＲＯＭ２５に格納されているＩＰアドレスをイーサネット網１０上にブロードキャストする。
【０１１５】
ステップＳ４５では、無線ＬＡＮインターフェイス７８が、ステップＳ４４においてイーサネット網１０上にブロードキャストされた室内機２０のＩＰアドレスを受信する。なお、このとき、室外機２１も、ステップＳ４４においてイーサネット網１０上にブロードキャストされた室内機２０のＩＰアドレスを受信する。
【０１１６】
ステップＳ４６では、第５演算部７１Ｂが、第５制御部７１Ａの指示に従って、ステップＳ４５で受信された室内機２０のＩＰアドレスと対応する実情報データベース７４ｇの冷媒系統データの欄に「第１冷媒系統」という文字情報を付加する（図１２参照）。なお、このとき、室外機２１は、ステップＳ４５で受信された室内機２０のＩＰアドレスをＥＥＰＲＯＭに格納する。
【０１１７】
ステップＳ４７では、室外機２１のマイクロコンピュータが、所定時間経過後に、ステップＳ４６において格納したＩＰアドレスを有する室内機２０に対して自己のＩＰアドレスを送信する。
【０１１８】
ステップＳ４８では、各室内機２０の第１ＬＡＮインターフェイス２６が、室外機２１のＩＰアドレスを受信する。
【０１１９】
ステップＳ４９では、各室内機２０の第１演算部が、第１制御部の指示に従って、ステップＳ４８で受信した室外機２１のＩＰアドレスを第１ＥＥＰＲＯＭ２５に格納する。
【０１２０】
そして、この冷媒系統検出ルーチンでは、全ての室外機２１を順に動作させていき、上記の処理を行う。なお、動作させる室外機２１が変化する都度、ステップＳ４６で付加される文字情報は「第１冷媒系統、第２冷媒系統、第３冷媒系統、・・・」と繰り上がっていく。
【０１２１】
なお、冷媒系統の検出作業が完了すると、エンジニアリング用コンピュータ７の第５ディスプレイ部４６には、図２５に示される画面または図２６に示される画面が表示される。
【０１２２】
〔実情報と設計情報との比較チェック処理〕
サービスエンジニア等は、上記、全ての作業が完了すると、第５入力部７９を操作して室内機バイディングアプリケーション７４ｅのデータ比較ルーチンを実行する。データ比較ルーチンが実行されると、図２０に示される処理が行われる。
【０１２３】
図２０において、ステップＳ５１では、第５演算部７１Ｂが、第５制御部７１Ａの指示に従って、実情報データベース７４ｇと設計情報データベース７４ｆとの内容が一致しているか否かを判定する。なお、この一致判定の対象は機種データ、設置位置データ、冷媒系統データの対応関係となる。ステップＳ５１において第５演算部７１Ｂが「実情報データベース７４ｇと設計情報データベース７４ｆとの内容が一致している」と判定した場合、処理はステップＳ５２に移る。ステップＳ５１において第５演算部７１Ｂが「実情報データベース７４ｇと設計情報データベース７４ｆとの内容が一致していない」と判定した場合、処理はステップＳ５３に移る。
【０１２４】
ステップＳ５２では、第５ディスプレイ部４６が、第５制御部７１Ａの指示に従って、図２１に示される情報入力ダイアログを表示する。なお、サービスエンジニア等が、情報入力ダイアログ中の顧客名、住所、および連絡先の欄に、第５入力部７９を操作して情報を入力した後、送信ボタンを押すと、それらの情報がインターネット回線（図示せず）を介して通信接続される遠隔監視サーバ（図示せず）に送信される。サービスエンジニア等は、この操作を行うことにより全ての作業を完了することができる。
【０１２５】
ステップＳ５３では、第５ディスプレイ部４６が、第５制御部７１Ａの指示に従って、警告ダイアログを表示する。
【０１２６】
〔空調コントローラへのデータコピー処理〕
サービスエンジニア等は、上記の作業を全て完了すると、空調コントローラ３に戻り、無線ＬＡＮを利用してエンジニアリング用コンピュータ７から、互いに対応付けられたＩＰアドレス、設置位置データ、および冷媒系統データを空調コントローラ３に転送する。すると、空調コントローラ３は、互いに対応付けられたＩＰアドレス、設置位置データ、および冷媒系統データを第２ＥＥＰＲＯＭ３５に格納する。
【０１２７】
〔エンジニアリング用コンピュータの特徴〕
（１）
本実施の形態に係るエンジニアリング用コンピュータ７では、第５演算部７１Ｂが、第５制御部７１Ａの指示に従って、実情報データベース７４ｇと設計情報データベース７４ｆとの内容が一致しているか否かを判定する。そして、第５演算部７１Ｂが「実情報データベース７４ｇと設計情報データベース７４ｆとの内容が一致している」と判定した場合、第５ディスプレイ部４６が、第５制御部７１Ａの指示に従って、図２１に示される情報入力ダイアログを表示する。その一方、第５演算部７１Ｂが「実情報データベース７４ｇと設計情報データベース７４ｆとの内容が一致していない」と判定した場合、第５ディスプレイ部４６が、第５制御部７１Ａの指示に従って、警告ダイアログを表示する。このため、サービスエンジニア等は、大きな負担がかかることなく、簡便に、室内機２０が正しく設置されているか否かを確認することができる。
【０１２８】
（２）
本実施の形態に係るエンジニアリング用コンピュータ７では、サービスエンジニア等が、情報入力ダイアログ中の顧客名、住所、および連絡先の欄に、第５入力部７９を操作して情報を入力した後、送信ボタンを押すと、それらの情報がインターネット回線（図示せず）を介して通信接続される遠隔監視サーバ（図示せず）に送信される。このため、サービスエンジニア等の属する組織などは、空調機設置工事に関する情報を一括管理することができ、アフターサービスや、不具合発生時の対応や情報提供などに迅速に対応することができる。
【０１２９】
〔変形例〕
（Ａ）
先の実施の形態に係るビルディングシステム１では、室内機２０にスイッチユニット１８が設けられ、スイッチボタン１６がサービスエンジニア等により押されると、第１ＥＥＰＲＯＭ２５に格納されているシリアル番号データが無線ＬＡＮアクセスポイント４を介してエンジニアリング用コンピュータ７に送信されるようになっていた。しかし、シリアル番号データ送信のきっかけはこのようなスイッチボタン１６に限られない。室内機２０にカメラ等の撮像装置が搭載されている場合にはその撮像装置を利用してもかまわない。かかる場合、撮像装置は、第１入力インターフェイス１９を介してマイコン２４に通信接続される。そして、第１ＥＥＰＲＯＭ２５に、ある特定の画像を認識するとシリアル番号データを送信する画像識別プログラムを保持させておく。また、エンジニアリング用コンピュータ７に、全ての室内機２０に搭載される撮像装置に対して撮像命令信号を送信する機能を設けておく（プログラム等でよい）。そして、この状態において、サービスエンジニア等が、ある特定の画像に対応するものを撮像装置に向けた状態で、エンジニアリング用コンピュータ７を操作し、撮像命令信号を送信する。すると、特定の画像を認識した撮像装置が搭載される室内機２０の第１通信回路２６からその室内機２０のシリアル番号データが無線ＬＡＮアクセスポイント４を介してエンジニアリング用コンピュータ７に送信される。
【０１３０】
（Ｂ）
先の実施の形態に係るビルディングシステム１では、室内機２０にスイッチユニット１８が設けられ、スイッチボタン１６がサービスエンジニア等により押されると、第１ＥＥＰＲＯＭ２５に格納されているシリアル番号データが無線ＬＡＮアクセスポイント４を介してエンジニアリング用コンピュータ７に送信されるようになっていた。しかし、室内機２０にカメラ等の撮像装置が搭載されている場合にはその撮像装置を利用してもかまわない。かかる場合、エンジニアリング用コンピュータ７に、全室内機１２０に搭載されている撮像装置に撮像指令信号を送信する機能を設ける。また、撮像装置には撮像指令信号が検出されると自動的に撮像する機能を設け、室内機２０には撮像データをＩＰアドレスとともにエンジニアリング用コンピュータ１０７に送信する機能を設ける。そして、さらに、エンジニアリング用コンピュータ７に、画像解析機能と、解析結果から室内機２０の設置位置データを導出する機能、およびそのＩＰアドレスと設置位置データとを対応付ける機能などを設ける。このようにすれば、サービスエンジニア等は、ビル内を歩き回ることなく、簡便にＩＰアドレスと設置位置データとの対応付け作業を行うことができる。
【０１３１】
（Ｃ）
先の実施の形態では、ＩＰアドレス割当アプリケーション７４ｄがエンジニアリング用コンピュータ７にインストールされていたが、ＩＰアドレス割当アプリケーション７４ｄは、空調コントローラ３や監視制御コンピュータ８に移植されてもかまわない。
【０１３２】
（Ｄ）
先の実施の形態では、室内機２０にスイッチユニット１８が設けられ、スイッチボタン１６がサービスエンジニア等により押されると、第１ＥＥＰＲＯＭ２５に格納されているシリアル番号データが無線ＬＡＮアクセスポイント４を介してエンジニアリング用コンピュータ７に送信されるようになっていた。しかし、空調コントローラ３に室内機バインディングアプリケーション７４ｅ、設計情報データベース７４ｆ、および実情報データベース７４ｇ等を移植し、スイッチボタン１６がサービスエンジニア等により押されると、第１ＥＥＰＲＯＭ２５に格納されているシリアル番号データが空調コントローラ３に送信されるようにしてもよい。かかる場合、エンジニアリング用コンピュータ７は不要となる。つまり、サービスエンジニア等は、空調コントローラ３において、予め巡回する室内機２０の順番を決めておき、その順番通りに設置位置データを並べておく。そして、サービスエンジニア等は、その順番通りに室内機２０のスイッチボタン１６を押していく。このとき、送信されてくるシリアル番号データを室内機バインディングアプリケーション７４ｄが上から順に設置位置データと対応付けていくようにしておけば、先の実施の形態に係るビルディングシステム１と同様のことができることになる。
【０１３３】
（Ｅ）
ＩＰアドレスの付与作業としては、先の実施の形態の他、特開平５−１５７３３５号公報（特許第２６９９７３４号明細書）等に記載される各種方法を採用することも可能である。
【０１３４】
（Ｆ）
冷媒系統の検出作業としては、先の実施の形態の他、特開２００４−３５３９４８号公報などに記載される各種方法を採用することも可能である。
【０１３５】
（Ｇ）
先の実施の形態に係る室内機２０では、温度センサが室内熱交換器の近傍に設けられたが、室内機２０に室内ファンの吸い込み温度検出用の温度センサがあらかじめ設けられている場合には、この温度センサを利用してもよい。
【０１３６】
（Ｈ）
先の実施の形態に係る室内機２０では、温度センサが室内熱交換器の近傍に設けられたが、これに代えて、圧力センサが、室内熱交換器の内部または室内機２０の内部もしくは室内機２０の近傍に配置される冷媒配管の内部に設けられてもよい。このようにすれば、冷媒ガスの圧力や冷媒液の液圧などを利用して冷媒系統情報を導き出すことができる。
【０１３７】
（Ｉ）
先の実施の形態に係る室内機２０では、ＩＰアドレスがイーサネット網１０上にブロードキャストされたが、これに代えて、ＩＰアドレスがブロードキャストされた時刻の情報をＩＰアドレスとともにブロードキャストしてもよい。このようにすれば、室内機２０の取り付け位置を推定することができる。
【０１３８】
（Ｊ）
先の実施の形態では、室内機２０および室外機２１にＩＰアドレスが割り当てられたが、さらにＭＡＣアドレスが割り当てられてもよい。
【図面の簡単な説明】
【０１３９】
【図１】本発明の実施の形態に係るビルディングシステムの構成を表すブロック図である。
【図２】本発明の実施の形態に係る室内機の一部を表す図である。
【図３】本発明の実施の形態に係る空調コントローラの内部構造を表すブロック図である。
【図４】本発明の実施の形態に係る空調コントローラにおける制御信号およびデータの流れを表す図である。
【図５】本発明の実施の形態に係る監視制御コンピュータの内部構造を表すブロック図である。
【図６】本発明の実施の形態に係る監視制御コンピュータのハードディスクに格納される各種プログラムやデータのイメージ図である。
【図７】本発明の実施の形態に係る監視制御コンピュータにおける制御信号およびデータの流れを表す図である。
【図８】本発明の実施の形態に係る位置データ導出サーバの内部構造を表すブロック図である。
【図９】本発明の実施の形態に係る位置データ導出サーバのハードディスクに格納される各種プログラムやデータのイメージ図である。
【図１０】本発明の実施の形態に係る位置データ導出サーバにおける制御信号およびデータの流れを表す図である。
【図１１】本発明の実施の形態に係るエンジニアリング用コンピュータの内部構造を表すブロック図である。
【図１２】本発明の実施の形態に係るエンジニアリング用コンピュータのハードディスクに格納される各種プログラムやデータのイメージ図である。
【図１３】本発明の実施の形態に係るエンジニアリング用コンピュータにおける制御信号およびデータの流れを表す図である。
【図１４】本発明の実施の形態に係るエンジニアリング用コンピュータによるＩＰアドレスの付与の流れを表すフローチャートである。
【図１５】本発明の実施の形態に係るエンジニアリング用コンピュータによるＩＰアドレスの付与の流れを表すフローチャートである。
【図１６】本発明の実施の形態に係るエンジニアリング用コンピュータによるＩＰアドレスの付与の流れを表すフローチャートである。
【図１７】本発明の実施の形態に係るエンジニアリング用コンピュータによるＩＰアドレスの付与の流れを表すフローチャートである。
【図１８】本発明の実施の形態に係るエンジニアリング用コンピュータによるＩＰアドレスの付与の流れを表すフローチャートである。
【図１９】本発明の実施の形態に係る冷媒系統検出処理の流れを表すフローチャートである。
【図２０】本発明の実施の形態に係るエンジニアリング用コンピュータによる実情報と設計情報との比較チェック処理の流れを表すフローチャートである。
【図２１】本発明の実施の形態に係るエンジニアリング用コンピュータによる実情報と設計情報との比較チェック処理において表示される情報入力ダイアログである。
【図２２】本発明の実施の形態に係るエンジニアリング用コンピュータによるＩＰアドレスの付与処理前の第５ディスプレイ部に表示される画面である。
【図２３】本発明の実施の形態に係るエンジニアリング用コンピュータによってＩＰアドレスが付与処理された後の第５ディスプレイ部に表示される画面である。
【図２４】本発明の実施の形態に係るエンジニアリング用コンピュータによって設置位置データとＩＰアドレスとが対応付けられた後の第５ディスプレイ部に表示される画面である。
【図２５】本発明の実施の形態に係るエンジニアリング用コンピュータによって冷媒系統検出処理された後の第５ディスプレイ部に表示される画面である。
【図２６】本発明の実施の形態に係るエンジニアリング用コンピュータによって冷媒系統検出処理された後の第５ディスプレイ部に表示される画面である。
【符号の説明】
【０１４０】
７      エンジニアリング用コンピュータ（空調機設置工事支援装置）
１０      イーサネット網（汎用ネットワーク）
１８      スイッチ（情報発信指令信号発信手段）
２０      室内機（空調機、利用ユニット）
２１      室外機（熱源ユニット）
２２      冷媒配管
２６      第１ＬＡＮインタフェース（第１空調機特定情報発信手段）
４７      無線送受信部（汎用ネットワーク接続手段、設計情報取得手段、情報送信手段）
７４ｄ    ＩＰアドレス割当アプリケーション（通信確立手段、空調機特定情報付与手段）
７４ｅ    室内機バイディングアプリケーション（通信確立手段、冷媒系統情報取得手段、機種情報取得手段、第１情報対応付け手段、対応付け関係判定手段、警告情報出力手段、情報入力要求手段、第２情報対応付け手段）
７９      第５入力部（設計情報取得手段）
【図１】
0004613742.tif 000002
【図２】
0004613742.tif 000003
【図３】
0004613742.tif 000004
【図４】
0004613742.tif 000005
【図５】
0004613742.tif 000006
【図６】
0004613742.tif 000007
【図７】
0004613742.tif 000008
【図８】
0004613742.tif 000009
【図９】
0004613742.tif 000010
【図１０】
0004613742.tif 000011
【図１１】
0004613742.tif 000012
【図１２】
0004613742.tif 000013
【図１３】
0004613742.tif 000014
【図１４】
0004613742.tif 000015
【図１５】
0004613742.tif 000016
【図１６】
0004613742.tif 000017
【図１７】
0004613742.tif 000018
【図１８】
0004613742.tif 000019
【図１９】
0004613742.tif 000020
【図２０】
0004613742.tif 000021
【図２１】
0004613742.tif 000022
【図２２】
0004613742.tif 000023
【図２３】
0004613742.tif 000024
【図２４】
0004613742.tif 000025
【図２５】
0004613742.tif 000026
【図２６】
0004613742.tif 000027